(57)【要約】      （修正有）【課題】構造が簡単で、組み立てに便利であり、かつ安全性が高いトランポリン、及びそのトランポリンの組み立てを便利にする取付具を提供する。【解決手段】支持フレーム１と、ベッド２と、複数の弾性ロープ３とを含み、支持フレームは環状であり、弾性ロープは弾性紐と接続ボールとを含む。弾性紐はリング状になるように両端が結び目で結ばれて、二本通しで接続ボールの貫通孔を貫通して、支持フレームに巻き付けられ、ベッドの環状帯２１を貫通した後、リング部分が接続ボールに引っ掛けられる。環状帯により支持フレームに接続構造を設けることなく、簡単な構造で支持フレームとベッドを接続できる。さらに、弾性ロープは一定の可撓性を持つので、安全性が高い。支持フレームは環状に連結される複数のサイドフレーム１１をさらに含み、サイドフレームに支持脚１２が溶接されることで、トランポリンの安定性を向上できる。【選択図】図１
0003198190.tif 000002
【実用新案登録請求の範囲】
【請求項１】
トランポリンであって、
前記トランポリンは、支持フレームと、ベッドと、複数の弾性ロープとを含み、
前記支持フレームは環状であり、前記ベッドは前記支持フレーム内に位置して、前記ベッドの周縁は複数の前記弾性ロープにより前記支持フレームと接続され、
前記ベッドの周縁には複数の環状帯が設けられ、複数の前記環状帯は前記ベッドの周縁に沿って均一に配列され、
前記弾性ロープは弾性紐と接続ボールとを含み、前記弾性紐はリング状になるように結び目を以て両端が結ばれて、前記接続ボールには貫通孔が設けられ、前記弾性紐は、前記接続ボールが前記結び目に係止されるように、二本通しで上記貫通孔を貫通し、
前記弾性紐は、前記支持フレームに巻き付けられて二本通しで前記環状帯を貫通して、前記支持フレームと前記環状帯の間に展張される、
ことを特徴とするトランポリン。
【請求項２】
前記弾性紐は前記支持フレームに巻き付けられ、前記弾性紐によるリングは前記接続ボールに引っ掛けられて接続され、又は、
前記支持フレームは前記弾性紐のリングを貫通して、前記接続ボールが前記環状帯の一側に止められる、
ことを特徴とする請求項１に記載のトランポリン。
【請求項３】
前記結び目は前記貫通孔内に位置して、前記貫通孔の内壁には係止部設けられており、前記係止部は、前記結び目を前記貫通孔内に係止するように前記貫通孔の周方向に沿って筒状に設けられる、
ことを特徴とする請求項１に記載のトランポリン。
【請求項４】
前記弾性紐は天然ゴムからなる、
ことを特徴とする請求項１に記載のトランポリン。
【請求項５】
前記支持フレームは複数のサイドフレームを含み、複数の前記サイドフレームは環状に連結され、前記弾性紐は前記サイドフレームに接続され、
前記サイドフレームは弧状に曲がるパイプからなり、隣接する２つの前記サイドフレームは端部が互いにリングスリーブにより接続され、ボルトにより固定される、
ことを特徴とする請求項１に記載のトランポリン。
【請求項６】
前記支持フレームには、その周方向に沿って配列される複数の支持脚が設けられ、各前記支持脚は垂直に設けられ、先端が前記サイドフレームに溶接される、
ことを特徴とする請求項５に記載のトランポリン。
【請求項７】
前記支持脚は、前記サイドフレームと１対１対応して溶接される、
ことを特徴とする請求項５に記載のトランポリン。
【請求項８】
前記トランポリンはハンドル部をさらに含み、前記ハンドル部は立管と、調整棒と、ハンドルと、ロックボルトとを備え、
前記立管は前記支持フレームに接続して固定されて、
前記調整棒は、先端が前記ハンドルに接続して固定され、前記ハンドルの高さを調整できるように前記立管に挿設され、
前記ロックボルトは、ネジ部分が前記立管の管壁を穿通して、内側端が前記調整棒と前記立管との相対位置を固定させるように前記調整棒に接続可能である、
ことを特徴とする請求項１に記載のトランポリン。
【請求項９】
前記調整棒は、先端が前記支持フレームの内側に向かって曲がっている、
ことを特徴とする請求項８に記載のトランポリン。
【請求項１０】
請求項１〜９のいずれか１項に記載のトランポリンを組み立てるための取付具であって、
前記取付具は全体として細長い形を呈し、並列して配置される２つの取付け棒を含み、
２つの前記取付け棒の間に隙間が形成され、２つの前記取付け棒は、一端が互いに接続して固定され、他端が曲がってフックを形成し、２つの前記フックの間に隙間が設けられる、
ことを特徴とする取付具。
【考案の詳細な説明】
【技術分野】
【０００１】
本考案は、スポーツ用品分野に関し、特にトランポリン及びその取付具に関する。
【背景技術】
【０００２】
従来技術において、トランポリンのフレームとベッドとは、ばねにより接続されている。フレームとベッドとばねとの間にそれらを接続するための複雑な構造が必要であるため、加工が難しいとともに、組み立てに悪い影響を与える。また、ばねの硬度が大きいので、ばねに保護パッドが設けられても、使用者の不注意でばねにあたると、依然として使用者に大きな衝撃を与え、安全性が低くなる。
【考案の概要】
【考案が解決しようとする課題】
【０００３】
本考案の目的は、構造が簡単で、組み立てに便利であり、かつ安全性が高いトランポリン、及びそのトランポリンの組み立てを便利にする取付具を提供することにある。
【課題を解決するための手段】
【０００４】
上述した課題を解決するために本考案は、支持フレームと、ベッドと、複数の弾性ロープとを含むトランポリンを提供する。
【０００５】
上記支持フレームは環状であり、上記ベッドは上記支持フレーム内に位置し、上記ベッドの周縁は複数の上記弾性ロープにより上記支持フレームと接続され、
上記ベッドの周縁には複数の環状帯が設けられ、複数の上記環状帯は上記ベッドの周縁に沿って均一に配列され、
上記弾性ロープは弾性紐と接続ボールとを含み、上記弾性紐はリング状になるように、結び目を以て両端が結ばれて、上記接続ボールには貫通孔が設けられ、上記弾性紐は、上記接続ボールが上記結び目に係止されるように、二本通しで上記貫通孔を貫通し、
上記弾性紐は、上記支持フレームに巻き付けられ二本通しで上記環状帯を貫通して、上記支持フレームと上記環状帯の間に展張される。
【０００６】
ここで、上記弾性紐は上記支持フレームに巻き付けられ、上記弾性紐によるリングは上記接続ボールに引っ掛けられて接続されており、又は、上記支持フレームは上記弾性紐のリングを貫通して、上記接続ボールが上記環状帯の一側に止められる。
【０００７】
ここで、上記結び目は上記貫通孔の内側に位置し、上記貫通孔の内壁には係止部が設けられて、上記係止部は、上記結び目を上記貫通孔内に係止するように上記貫通孔の周方向に沿って筒状に設けられる。
【０００８】
ここで、上記弾性紐は天然ゴムからなる。
【０００９】
ここで、上記支持フレームは複数のサイドフレームを含み、複数の上記サイドフレームは環状に連結され、上記弾性紐は上記サイドフレームに接続される。上記サイドフレームは弧状に曲がるパイプからなり、隣接する２つの上記サイドフレームは端部が互いリングスリーブにより連結され、ボルトにより固定される。
【００１０】
ここで、上記支持フレームには、その周方向に沿って配列される複数の支持脚が設けられ、各上記支持脚は垂直に設けられ、その先端が上記サイドフレームに溶接される。
【００１１】
ここで、上記支持脚は上記サイドフレームと１対１対応して溶接される。
【００１２】
ここで、上記トランポリンはハンドル部をさらに含み、上記ハンドル部は立管と、調整棒と、ハンドルと、ロックボルトとを備える。上記立管は上記支持フレームに接続して固定されて、上記調整棒は先端が上記ハンドルに接続して固定され、上記ハンドルの高さを調整できるように上記立管に挿設される。上記ロックボルトはネジ部分が上記立管の管壁を穿通して、内側端が上記調整棒と上記立管との相対位置を固定させるように上記調整棒に接続可能である。
【００１３】
ここで、上記調整棒は、先端が上記支持フレームの内側に向かって曲がっている。
【００１４】
また、本考案は、上記のトランポリンを組み立てるための取付具の提供であって、上記取付具は全体として細長い形を呈し、並列して配置される２つの取付け棒を含む。２つの上記取付け棒の間に隙間が形成されており、２つの上記取付け棒は、一端が互いに接続して固定され、他端が曲がってフックを形成しており、２つの上記フックの間に隙間が設けられる。
【考案の効果】
【００１５】
本考案で提供するトランポリンは、ベッドの周縁に設けられる環状帯により弾性ロープとベッドとを便利に接続することができ、弾性ロープの弾性紐によりベッドと支持フレームとの間に弾力を提供することができる。また、弾性紐は湾曲してリング状になるように両端が結び目をもって結ばれることにより、支持フレームに別途接続構造を設けることなく、簡単な構造で支持フレームと弾性ロープとの接続を便利に実現することができる。さらに、弾性ロープが一定の可撓性を持つので、安全性が高い。
【００１６】
本考案に提供するトランポリンを組み立てるための取付具は、２つの取付け棒の間の隙間により、弾性紐によるリングを開いてスペースを作ることで、接続ボールをリングに押し込むことが便利である。２つのフックは、サイドフレームに引っかけるために用いられ、接続ボールを挟んで引っかかるように接続ボールの両側にそれぞれ位置することができる。さらに接続ボールが弾性紐によるリングを貫通して弾性紐に引っ掛けて接続することができるため、トランポリンの組み立てを便利にする。
【図面の簡単な説明】
【００１７】
本考案の技術的構成を明らかに説明するために、以下、本考案の実施形態に使用される図面について簡単に説明する。以下に説明する図面は、本考案のいくつかの実施形態を説明するための図面に過ぎず、これらの図面によって得られる他の図面は、当業者にとって可能であることは明らかであろう。
【図１】図１は、本考案の好適な実施形態に係るトランポリン構造の概略図である。
【図２】図２は、図１におけるトランポリンの支持フレーム構造の概略図である。
【図３】図３は、図１におけるトランポリンの弾性ロープの分解概略図である。
【図４】図４は、図３における弾性ロープの接続ボールの断面概略図である。
【図５】図５は、図１におけるトランポリンの弾性ロープと支持フレームとベッドとの接続を表す概略図である。
【図６】図６は、図１におけるトランポリンの支持フレーム及びハンドル部の分解概略図である。
【図７】図７は、図６におけるトランポリンの支持フレームと立管との接続を表す概略図である。
【図８】図８は、本考案の好適な実施形態に係る取付具の概略図である。
【図９】図９は、取付具によりトランポリンを組み立てるプロセスの概略図である。
【図１０】図１０は、取付具によりトランポリンを組み立てるプロセスの概略図である。
【図１１】図１１は、取付具によりトランポリンを組み立てるプロセスの概略図である。
【考案を実施するための形態】
【００１８】
以下、本考案の実施形態に係る図面を参照しながら、本考案の実施形態における技術的構成を明瞭、且つ詳細に説明する。
【００１９】
図１〜図７に示すように、本考案の実施形態に係るトランポリンは、支持フレーム１と、ベッド２と、複数の弾性ロープ３とを含む。支持フレーム１は環状であり、ベッド２は支持フレーム１内に位置して、ベッド２の周縁は複数の弾性ロープ３により支持フレーム１と接続されている。使用者がベッド２に乗って跳躍するとき、弾性ロープ３により使用者に弾力を与えることで、跳躍の高さを向上することができる。
【００２０】
本実施例において、図１、図２に示すように、支持フレーム１は複数のサイドフレーム１１を含み、複数のサイドフレーム１１は環状に連結され、弾性ロープ３はサイドフレーム１１と接続される。より具体的に、サイドフレーム１１の数は６本であるが、これに限定されるものではなく、他の実施形態において、サイドフレーム１１の数は３本、４本、又は他の数であってもよい。支持フレーム１は全体として円環状であり、各サイドフレーム１１は弧状であり、互いに接続されると円環状になる。
【００２１】
サイドフレーム１１は弧状に曲がるパイプからなり、隣接する２つのサイドフレーム１１は端部が互いにリングスリーブにより連結され、ボルトにより固定される。パイプ状のサイドフレーム１１により、構造強度を向上させるとともに、各サイドフレーム１１の間の組み立て及び接続を容易にできる。
【００２２】
支持フレーム１には、その周方向に沿って配列される複数の支持脚１２が設けられる。各支持脚は垂直に設けられ、その先端がサイドフレーム１１に溶接される。複数の支持脚１２により、サイドフレーム１１を一定の高さで支えてベッド２の上下運動に便宜を図ることができる。溶接によりサイドフレーム１１と支持脚１２との間の接続強度を高め、支持フレーム１及びトランポリンの安定性を向上することができる。さらに、支持脚１２はサイドフレーム１１と１対１対応して溶接され、すなわち、支持脚１２の数はサイドフレーム１１の数と同様に、６本のサイドフレーム１１にそれぞれ溶接される。サイドフレーム１１ごとに１つの支持脚１２を設けることで、構造を簡素化するとともに、耐荷重性を満たしてトランポリン全体の安定性を効果的に向上することができる。ここで、他の実施例において、１つのサイドフレーム１１に２つ又はそれ以上の支持脚１２が溶接されてもよく、一部のサイドフレーム１１のみに支持脚１２が溶接されてもよい。
【００２３】
支持脚１２の先端は、サイドフレーム１１の一端に溶接される。サイドフレーム１１は弧状であり、支持脚１２がサイドフレーム１１の一端に接続されるため、トランポリンが分解された状態において、サイドフレーム１１と支持脚１２とを一体として保存することができる。ここで、他の実施例において、支持脚１２の先端はサイドフレーム１１の中間部又は他の部位に溶接されてもよい。支持脚１２の下端による地面への損傷を防止するために、支持脚１２の下端にゴムパッド１３が取り付けられてもよい。好ましくは、支持脚１２はパイプ状である。
【００２４】
本実施例において、支持脚１２とサイドフレーム１１とは一体に接続されて１つの支持ユニットを形成する。すなわち、６本の支持脚１２と６本のサイドフレーム１１とは６つの支持ユニットを形成する。支持ユニット同士の組み立てを便利にするために、各支持ユニットは構造が同一である。また、支持フレーム１を複数の支持ユニットに分解することにより、支持フレーム１の分解状態における体積を減少できるので、パッケージングに便利である。
【００２５】
図１に示すように、ベッド２の周縁には複数の環状帯２１が設けられ、複数の環状帯２１はベッド２の周縁に沿って均一に配列される。本実施例において、環状帯２１は帯状の織物を曲げて形成され、環状帯２１とベッド２とをしっかり固定させるために、ベッド２の周縁に縫い付けられる。さらに、ベッド２には補強ベルト２２が設けられる。補強ベルト２２はベッド２の周縁に沿って設けられる環状ベルトであり、ベッド２に縫い付けられる。帯状の織物である環状帯２１の端部は、ベッド２の周縁と補強ベルト２２との間に締め付けられている。それらの構造により、ベッド２と環状帯２１との接続構造をさらに増強することができる。環状帯２１の構造強度を高めるために、環状帯２１は高強度のナイロン材料で構成されてもよい。
【００２６】
図３〜図５に示すように、弾性ロープ３は弾性紐３１と接続ボール３２とを含み、弾性紐３１はリング状になるように、結び目３１０を以て両端が結ばれる。好ましくは、弾性紐３１は、弾性がよく、強度が高く、寿命が長く、総合性能が優れる天然ゴムからなる。接続ボール３２には貫通孔３２０が設けられ、弾性紐３１は、結び目３１０が接続ボール３２に係止されるように、二本通しで貫通孔３２０を貫通する。
【００２７】
本実施形態において、結び目３１０は貫通孔３２０に係止して、貫通孔３２０の内壁には係止部３２１が設けられる。係止部３２１は、結び目３１０を貫通孔３２０内に係止するように貫通孔３２０の内周方向に沿って筒状に設けられる。このようにして、結び目３１０が接続ボール３２に係止され、結び目３１０が貫通孔３２０から抜けることを防止できる。結び目３１０は貫通孔３２０の内側に位置する。すなわち、結び目３１０が隠れるように接続ボール３２に収納されることにより、弾性ロープ３の整体構造全体が簡潔で外観が良くなる。さらに、結び目３１０と貫通孔３２０とは締まりばめであってもよく、このようにして、結び目３１０を貫通孔３２０内に押し込むことで、結び目３１０の緩み及びはずれを防止するとともに、結び目３１０と接続ボール３２とを確実にしっかり接続することができる。ここで、他の実施例において、結び目３１０の形状寸法は貫通孔３２０の直径より大きくてもよい。このようにして、弾性紐３１が貫通孔３２０を貫通すると、結び目３１０が貫通孔３２０の一端に止められ、接続ボール３２が結び目３１０に止まるようになる。弾性紐３１は貫通孔３２０と締まりばめることにより、弾性紐３１と接続ボール３２とをしっかり固定させる。また、貫通孔３２０は一端の孔径が他端の孔径より大きなテーパ状であってもよく、このようにして、弾性紐３１は貫通孔３２０における大孔径の一端から挿入することで、弾性紐３１と接続ボール３２との間の組み立て及び接続を便利にするとともに、結び目３１０を接続ボール３２に収納させることができる。
【００２８】
図５に示すように、弾性紐３１は、支持フレーム１に巻き付けられて二本通しで環状帯２１を貫通し，支持フレーム１と環状帯２１との間で展張される。本実施例において、弾性紐３１は二本状で支持フレーム１のサイドフレーム１１に巻き付けられ、弾性紐３１によるリングは接続ボール３２に係止され接続される。このようにして、弾性ロープ３は支持フレーム１に巻き付けられる二重リング状になる。すなわち、支持フレーム１のサイドフレームは弾性ロープ３による二重リングの中を貫通する。当該接続構造は１つの弾性紐３１を四本状で支持フレーム１とベッド２の間に設けることで、巧みな構造により、支持フレーム１とベッド２との間の弾性を効果的に高めることができる。ここで、他の実施例において、支持フレーム１のサイドフレーム１１が弾性紐３１のリングを貫通してもよい。すなわち、弾性ロープ３が環状帯から外れることを防止するために、弾性紐による一本リングが支持フレーム１のサイドフレームに直接巻き付けられ、接続ボール３２が環状帯２１の一側に止められることで、１つの弾性紐３１を二本状で支持フレーム１とベッド２との間に設ける。
【００２９】
ベッド２の周縁に設けられる環状帯２１により、弾性ロープ３とベッド２とを便利に接続することができ、弾性ロープ２の弾性紐２１により、ベッド２と支持フレーム１との間に弾力を提供することができる。また、弾性紐３１はリング状になるように両端が結び目を以て結ばれることにより、支持フレーム１に別途接続構造を設けることなく、簡単な構造で支持フレーム１と弾性ロープ３との接続を便利に実現することができる。さらに、弾性ロープ３が一定の可撓性を持つので、安全性が高い。
【００３０】
図６に示すように、トランポリンはハンドル部４をさらに含み、ハンドル部４は立管４１と、調整棒４２と、ハンドル４３と、ロックボルト４４とを備える。立管４１は支持フレーム１に接続して固定される。調整棒４２は、先端がハンドル４３に接続して固定され、ハンドル４３の高さを調整するために、立管４１に挿設される。ロックボルト４４は、ネジ部分が立管４１の管壁を穿通して、内側端が調整棒４２と立管４１との相対位置を固定するように調整棒４２に接続可能である。ロックボルト４４を回して立管４１の径方向に移動させると、ロックボルト４４の内側端を調整棒４２に合わせて接続することができる。ここで、立管４１に貫通孔を穿設するとともに立管の管壁にナットを溶接することにより、ロックボルト４４とナットネジとを接続させてもよい。このようにして、ロックボルト４４のネジ部分が立管４１の管壁を穿通する。他の実施例において、立管の管壁にネジ孔を穿設して、ロックボルト４４を当該ネジ孔にネジ接続してもよい。
【００３１】
調整棒４２はパイプ状であり、その管壁に複数の位置決め孔４２０が調整棒４２の軸方向に沿って配列して設けられ、ロックボルト４４の内側端が位置決め孔４２０に挿入可能である。ロックボルト４４は外側に移動してその内側端が立管４１から離れると、調整棒４２が上下移動可能になる一方、ロックボルト４４は内側に移動してその内側端が位置決め孔４２０内に入ると、調整棒４２と立管４１との相対位置が固定される。ここで、他の実施形態として、調整棒４２に位置決め孔４２０を穿設する代わりに、ロックボルト４４の先端を調整棒４２に当接することで、立管４１と調整棒４２との相対位置を固定させる。
【００３２】
調整棒４２と立管４１との間の相互摩擦による摩損を防止するために、調整棒４２と立管４１との間にはダンピングスリーブ４１２が設けられてもよい。また、調整棒４２の先端を支持フレーム１の内側に湾曲させ、ハンドル４３を支持フレーム１の内側に相対的に近づけることで、使用者が跳躍するときにハンドル４３を握って跳躍時の安全性を向上することができる。本実施例において、使用者が両手でハンドル４３を握ることを便利にするために、ハンドル４３はＴ字状である。また、使用者がハンドル４３を握るときの快適性を向上するために、ハンドル４３にはゴム套４３１が覆設される。
【００３３】
本実施例において、ハンドル部４は、１つの立管４１及び１つの調整棒４２によりハンドル４３を支えるため、構造が簡単で、組み立てに便利である。ハンドル４３により、使用者が跳躍するときの重心をより安定させ、使用者の安全性を向上することができる。調整棒４２は、ハンドル４３が適切な高さになるように、昇降可能に調整できるので、使用者の異なる高さでの使用に適している。
【００３４】
図７に示すように、立管４１は間隔部材４５により支持脚１２に接続して固定される。間隔部材４５は立管４１と支持脚１２との間に垂直に設けられる細長い形のものであり、間隔部材４５には２つの取付溝４５０が立管４１及び支持脚１２とそれぞれ合わせるように設けられる。本実施例において、立管４１及び支持脚１２はいずれもパイプ状であり、取付溝４５０は凹弧状であるので、間隔部材４５は立管４１及び支持脚１２と合わせて配置することを便利にする。固定ボルトは、立管４１、間隔部材４５、及び支持脚１２を順次に穿通してしっかり固定させる。
【００３５】
立管４１と、隣接する２つの支持脚１２との間に引棒４６がそれぞれ設けられ、引棒４６は傾斜状に配置され、２つの引棒４６によりハンドル部４と支持フレーム１との接続強度をさらに高めることができる。
【００３６】
トランポリンは安全パッド（図示せず）をさらに含み、安全パッドは環状であり、弾性ロープ３を被覆するようにベッド２と支持フレーム１との間に設けられている。このようにして、ベッド２と支持フレーム１との隙間を被覆することで、使用者が跳躍する過程で弾性ロープ３にはまるのを防止して、使用者の安全性を保証することができる。
【００３７】
以下、本考案に係るトランポリンにおけるベッド２と弾性ロープ３とサイドフレーム１１との接続方法について説明する。
【００３８】
ベッド２と弾性ロープ３とサイドフレーム１１との間の組み立てを便利にするために、図８に示すように、本考案は取付具９をさらに提供する。当該取付具９はトランポリン仕様の一部として（すなわち当該取付具９はトランポリンに含まれる）販売されてもよく、単独の部材として販売されてもよい。当該取付具９は全体として細長い形を呈し、並列して配置される２つの取付け棒９１を含む。２つの取付け棒９１の間には隙間が形成されており、２つの取付け棒９１の間の隙間により、弾性紐３１のリングを開いてスペースを作ることで、接続ボールをリングに押し込むことが便利である。２つの取付け棒９１は、一端が互いに接続して固定され、他端が曲がってフック９２を形成しており、２つのフック９２の間に隙間が設けられている。好ましくは、２つの取付け棒９１は一体に成形されてもよい。すなわち、２つの取付け棒９１は一本の金属棒をＵ字状に曲げて形成されてもよく、このようにして、２つの取付け棒９１の間の構造強度を向上することができる。組み立て時に、２つのフック９２はサイドフレーム１１に引っかけるために用いられる一方、接続ボール３２を挟んで引っかかるように接続ボールの両側にそれぞれ位置することができる。さらに接続ボールが弾性紐のリングを貫通して弾性紐に引っ掛けて接続することができる。さらに、２つの取付け棒９１の間には、フック９２の一端を接続して固定させるための固定杆９３が設けられる。このようにして、２つのフック９２の構造強度を向上することができる。
【００３９】
ベッド２と弾性ロープ３とサイドフレーム１１とを組み立てる場合、まず、弾性紐３１を二本通しで環状帯２１を貫通させ、接続ボール３２が環状帯２１の一端に止められ、そして、取付具９のフック９２が設けられる一端を弾性紐３１のリングを貫通させて，上からサイドフレームの辺縁に引っ掛ける。その後、フック９２がサイドフレームの下に位置するように、サイドフレームを中心として取付具９をサイドフレームの外側に向って回転させ、さらに、フック９２を接続ボール３２に引っ掛けるようにサイドフレームの内側に向って押し付ける。最後に、取付具９をしっかり握りながら下に押し付け、接続ボール３２を弾性紐３１のリングに押し込む。この場合、接続ボール３２はサイドフレーム１１の下で弾性紐３１のリングに自ずと入り込む。当該取付具９により弾性紐３１の弾力に対抗することで、ベッド２と弾性ロープ３とサイドフレーム１１とを便利かつ迅速に組み立てることができる。
【００４０】
上述の実施例は、本考案の好適な実施形態に過ぎず、本発明の思想を逸脱しないことを前提とする場合、当業者が複数の改良及び修飾をしても、本発明の保護範囲に属するものであると理解されるべきである。
【図１】
0003198190.tif 000003
【図２】
0003198190.tif 000004
【図３】
0003198190.tif 000005
【図４】
0003198190.tif 000006
【図５】
0003198190.tif 000007
【図６】
0003198190.tif 000008
【図７】
0003198190.tif 000009
【図８】
0003198190.tif 000010
【図９】
0003198190.tif 000011
【図１０】
0003198190.tif 000012
【図１１】
0003198190.tif 000013